(57)【特許請求の範囲】
【請求項１】
冷蔵庫本体と、前記冷蔵庫本体内に設けた複数の貯蔵室と、前記貯蔵室の開口部をそれぞれ開閉する扉とを備え、前記貯蔵室を開閉する扉の一つは観音開き式扉としてその下端面に照度センサを設けるとともに、前記照度センサを設けた観音開き式扉の下端面と対向する扉の上端面には外部からの光を前記照度センサに向けて反射させる傾斜面を形成した冷蔵庫。
【請求項２】
照度センサを設けた扉の下端面に上向き凹部を形成して把手部とし、当該把手部の一部に照度センサを組み込んだ請求項１記載の冷蔵庫。
【請求項３】
冷蔵庫本体と、前記冷蔵庫本体内に設けた複数の貯蔵室と、前記貯蔵室の開口部をそれぞれ開閉可能とする複数の扉とを備え、前記各扉はその前面を着色層付きの透明前板で形成するとともに、当該透明前板の外周部は透明前板挿入部等で覆うことなくそのまま露出状態とし、かつ、前記各扉のうちの一つの扉の下端面を上向きに凹設して把手部を形成し、更に前記把手部の一部に照度センサを組み込むとともに、当該照度センサを組み込んだ把手部直下の扉の上端部には室内の光を前記照度センサに反射する傾斜面を形成した冷蔵庫。
【発明の詳細な説明】
【技術分野】
【０００１】
本発明は照度検知機能を有する冷蔵庫に関するものである。
【背景技術】
【０００２】
一般に冷蔵庫は家庭で使用される電力の割合が高く、その使用電力を可能な限り抑えることが強く要請されている。そのため、光センサを用いて節電運転を可能とするものが提案されている。例えば光センサが所定の照度以上を検知した場合は、通常の運転を行い、所定の照度未満を検知したとき、顧客が就寝し冷蔵庫の扉を開閉して食品を出し入れすることはほとんどないだろうとして通常の温度より少ない電力で運転する節電運転、すなわち省エネ運転を行うものである。その際、前記光センサは扉の前面に設けて室内の照度を検出するようにしてある。（例えば、特許文献１、特許文献２参照）。また、光センサを冷蔵庫本体の上面に設けて室内の照度を検出するようにしたものもある。（例えば、特許文献３参照）。
【０００３】
図１１はこの特許文献１に記載された冷蔵庫を示すもので、この冷蔵庫は扉１０１の前面下部に操作部１０２を設け、この操作部１０２に光センサの受光部１０３が設けてある。また、図１２は特許文献２に記載された冷蔵庫を示し、観音開き式扉１０１の一方の扉の側端部に操作部１０２を縦方向に設け、この操作部１０２に光センサの受光部１０３が設けてある。更に、図１３は特許文献３に記載された冷蔵庫を示し、光センサ１０４は冷蔵庫本体１０５の上面に設けてある。
【先行技術文献】
【特許文献】
【０００４】
【特許文献１】特開２００１−９１１４２号公報
【特許文献２】特開２０１２−１４５３０３号公報
【特許文献３】特開平４−２４０３７０号公報
【発明の概要】
【発明が解決しようとする課題】
【０００５】
上記特許文献１、２に記載されている従来の冷蔵庫は、室内の照度を検出する受光部１０３が操作部１０２に設けてあるから、使用者が日常的に行うメモやチラシ等によって受光部１０３が覆い隠されることを防止でき、確実に室内照度を検出して節電運転ができる、という効果が期待できる。すなわち、操作部１０２を操作するためにはこの操作部１０２を避けてメモやチラシ等を張るであろうことから、この操作部１０２に受光部１０３を設けておけばこの受光部１０３もメモやチラシ等によって覆われることがなく、確実に室内照度を検出できるというものである。
【０００６】
しかしながら、扉の前面に受光部１０３を設けた場合、この受光部１０３が目立って扉の外観、換言すれば冷蔵庫の意匠性を低下させるという課題があった。
【０００７】
また、使用者は冷蔵庫を購入した時に操作部１０２を操作して冷蔵条件を設定した後は、ほとんど操作部１０２を操作するようなことがなくなりつつあり、そのため操作部１０２を覆い隠すような形でメモやチラシ等を貼り付けることが多くなりつつある。そのため、操作部１０２に受光部１０３を設けたことによる効果は期待通り得られず、室内照度を正確に検知できない場合が生じるという課題もある。
【０００８】
この様な課題は、例えば特許文献３に記載されているように、冷蔵庫本体１０５の上面
に光センサ１０４を設けることによって解決できる。しかしながら使用者は冷蔵庫本体１０５の上面に物を置くことがあり、その物によって光センサ１０４が覆い隠され、この場合も室内照度を検出できない場合が生じるという課題が残る。
【０００９】
本発明はこの様な課題に鑑みてなしたもので、外観意匠を損なうことなく室内照度を確実に検出できる冷蔵庫を提供するものである。
【課題を解決するための手段】
【００１０】
本発明は上記目的を達成するため、冷蔵庫本体と、前記冷蔵庫本体内に設けた複数の貯蔵室と、前記貯蔵室の開口部をそれぞれ開閉する扉とを備え、前記貯蔵室を開閉する扉の一つは観音開き式扉としてその下端面に照度センサを設けるとともに、前記照度センサを設けた観音開き式扉の下端面と対向する扉の上端面には外部からの光を前記照度センサに向けて反射させる傾斜面を形成した構成としてある。
【００１１】
これにより、照度センサは室内の光を効率よく検知することができ、その感度を向上させてより確実かつ効率の良い照度検知が可能になるとともに、扉の表面や側面に使用者の濡れ手から水等が掛かった場合でもこの水等が照度センサ設置部分にまで至るのを確実に防止することができ、故障等の心配がない信頼性の高いものとすることができる。
【発明の効果】
【００１２】
本発明は、外観意匠を損なうことなく扉前面にメモやチラシ等を貼り付けられても室内の照度を確実に検出することができ、節電運転等を的確に行える省エネ性の高い冷蔵庫とすることができる。
【図面の簡単な説明】
【００１３】
【図１】本発明の実施の形態１における冷蔵庫の外観斜視図
【図２】同冷蔵庫の正面図
【図３】同冷蔵庫の模式断面図
【図４】同図２のＡ−Ａ断面図
【図５】同冷蔵庫の観音開き式扉と引き出し式扉の把手部を示す拡大断面図
【図６】同冷蔵庫の観音開き式扉の一つを示す斜視図
【図７】同図６のＢ−Ｂ断面図
【図８】同実施の形態１における冷蔵庫の照度センサ設置構成を示すもので、図６のＣ−Ｃ断面図
【図９】同冷蔵庫の制御ブロック図
【図１０】同実施の形態２における冷蔵庫の照度センサ設置構成を示す観音開き式扉と引き出し式扉を示す拡大断面図
【図１１】従来の冷蔵庫の斜視図
【図１２】従来の他の冷蔵庫の正面図
【図１３】従来の更に他の冷蔵庫の正面図
【発明を実施するための形態】
【００１８】
第１の発明は、冷蔵庫本体と、前記冷蔵庫本体内に設けた複数の貯蔵室と、前記貯蔵室の開口部をそれぞれ開閉する扉とを備え、前記貯蔵室を開閉する扉の一つは観音開き式扉としてその下端面に照度センサを設けるとともに、前記照度センサを設けた観音開き式扉の下端面と対向する扉の上端面には外部からの光を前記照度センサに向けて反射させる傾斜面を形成した構成としてある。
【００１９】
これにより、照度センサは室内の光を効率よく検知することができ、その感度を向上させてより確実かつ効率の良い照度検知が可能になるとともに、扉の表面や側面に使用者の濡れ手から水等が掛かった場合でもこの水等が照度センサ設置部分にまで至るのを確実に防止することができ、故障等の心配がない信頼性の高いものとすることができる。
【００２０】
第２の発明は、第１の発明において、照度センサを設けた扉の下端面に上向き凹部を形成して把手部とし、当該把手部の一部に照度センサを組み込んだ構成としてある。
【００２１】
これにより、照度センサは把手部を利用して合理的に組み込むことができるとともに、把手部の下方に位置する扉上端は傾斜面となっているから、当該扉上端面とその上方の扉の把手部との間の間隔が狭くても容易に把手部に手を差し入れることができ、操作性も良好なものとすることができる。
【００２４】
第３の発明は、冷蔵庫本体と、前記冷蔵庫本体内に設けた複数の貯蔵室と、前記貯蔵室の開口部をそれぞれ開閉可能とする複数の扉とを備え、前記各扉はその前面を着色層付きの透明前板で形成するとともに、当該透明前板の外周部は透明前板挿入部等で覆うことなくそのまま露出状態とし、かつ、前記各扉のうちの一つの扉の下端面を上向きに凹設して把手部を形成し、更に前記把手部の一部に照度センサを組み込むとともに、当該照度センサを組み込んだ把手部直下の扉の上端部には室内の光を前記照度センサに反射する傾斜面を形成した構成としてある。
【００２５】
これにより、扉は複数あっても、その各扉の前面を構成する透明前板の表面部には透明前板挿入部や把手部による出っ張りがなく、平坦な面となるから、扉全面はフラット感のあるスッキリとした良好なものとなる。しかも着色層の手前に透明層が位置することになるため、着色の色に深みが加わって質感が増す。そして、この様なフラット感があって、意匠性の高い冷蔵庫の扉下端把手部に照度センサを組み込むことによって、当該照度センサ認識させることなく高い意匠性を保ったまま照度センサによる節電運転が可能な省エネ型の冷蔵庫とすることができる。
【００２６】
以下、本発明の実施の形態について、図面を参照しながら説明する。なお、この実施の形態では扉の前面をガラス板等の透明前板で構成して意匠性を高めつつ照度センサが目立
たないようにして冷蔵庫のトータル意匠を向上させたものを例にして説明するが、これによって本発明が限定されるものではない。
【００２７】
（実施の形態１）
図１は本発明の実施の形態１における冷蔵庫の外観斜視図、図２は同冷蔵庫の正面図、図３は同冷蔵庫の模式断面図、図４は同図２のＡ−Ａ断面図、図５は同冷蔵庫の観音開き式扉と引き出し式扉の把手部を示す拡大断面図、図６は同冷蔵庫の観音開き式扉の一つを示す斜視図、図７は同図６のＢ−Ｂ断面図、図８は同冷蔵庫の照度センサ設置構成を示すもので、図６のＣ−Ｃ断面図、図９は同冷蔵庫の制御ブロック図である。
【００２８】
図１〜図３において、冷蔵庫本体１は、前方に開口する金属製（例えば鉄板）の外箱２と、硬質樹脂製（例えばＡＢＳ）の内箱３と、これら外箱２と内箱３との間に充填発泡した硬質の発泡ウレタン４からなる。
【００２９】
上記冷蔵庫本体１はその内部に複数の貯蔵室を仕切形成してある。この貯蔵室は、冷蔵庫本体１の上部から、冷蔵室５、冷蔵室５の下に位置する切替室６及び切替室６に並設した製氷室７、切替室６及び製氷室７の下部に位置する冷凍室８、冷凍室８の下部に位置する野菜室９となっている。
【００３０】
また、前記冷蔵室５の前面は、観音開き式の扉１０，１０（以下、観音開き式扉と称す）により開閉自在に閉塞し、切替室６及び製氷室７と冷凍室８と野菜室９の前面部は引き出し式の扉１１，１２，１３，１４（以下、引き出し式扉と称す）によって開閉自在に閉塞してある。
【００３１】
冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２１と、前記した冷却器１７とを順次環状に接続して冷凍サイクルを構成し、この冷凍サイクルに冷媒を封入し、冷却運転を行うように構成してある。
【００３２】
ここで、上記各扉１０〜１４は冷蔵庫本体１と同様硬質のウレタンを発泡充填して断熱性を持たせてあり、更に意匠性を向上させるべくその前面をガラス板等の透明前板で構成してある。
【００３３】
以下、観音開き式扉１０を例にしてその構成について図４〜図８を用いて説明する。なお、観音開き式扉１０以外の扉１１〜１４も同様の構成である。
【００３４】
図４〜図８、特に図６において、２３は冷蔵庫本体１の内側に位置することになる内フレームで、例えばＡＢＳ樹脂で形成してある。２４はこの内フレーム２３の周端面に結合固定した縁枠で、ＡＢＳ樹脂で形成してある。２５は前記内フレーム２３を覆うようにその縁枠２４に積層配置したガラス板等の透明前板（以下、ガラス板と称す）で、この実施の形態では光沢のある強化ガラス板で形成してある。
【００３５】
このガラス板２５は図７に示すようにその内面に接着剤２６を介して樹脂フィルム２７を貼り付け、この樹脂フィルム２７に絵模様、例えばヘアーラインのような金属調模様からなる着色層２８が形成してある。これによって、前記ガラス板２５は、あたかも着色層付きのガラス板となる。
【００３６】
前記樹脂フィルム２７はこの実施の形態では透明性が高く機械的強度の高いポリエチレンテレフタレートを用い、着色層２８はホワイト系ではガラス板２５とは反対側面に形成
し、グレー系ではガラス板２５側に形成してある。図面ではガラス板２５とは反対側面に形成した場合を示している。
【００３７】
２９は前記ガラス板２５の樹脂フィルム２７側の面と内フレーム２３と縁枠２４との間の空間に充填発泡させた硬質のウレタンで、発泡によって内フレーム２３及び縁枠２４とともに前記ガラス板２５内面の樹脂フィルム２７に接着し、当該樹脂フィルム２７を介してガラス板２５を接着保持している。そして前記ガラス板２５の外周縁部はそのまま露出状態とし、図８に示すように縁枠２４の端縁２４ｃより若干内側、この実施の形態では約２ｍｍ程度内側になるように位置させてある。すなわち、これまでのガラス板式扉のように縁枠にガラス板挿入部を設けこのガラス板挿入部にガラス板の外周縁部を挿入して当該ガラス板を保持する構成とは異なる方式でガラス板を保持している。
【００３８】
そのためこの構成においては発泡ウレタン２９によるガラス板２５の接着保持力を強化する必要がある。そこでこの実施の形態では、発泡ウレタン２９はその外周部の発泡密度を中央部分の発泡密度より高くして、外周部の接着保持力が中央部分の接着保持力に比べより大きくなる構成としてある。この発泡密度を外周部の方が高くなるようにするのは、例えば、内フレーム２３の発泡ウレタン外周部分に相当する位置に空気抜き孔を設けて、この空気抜き孔部分でウレタンがコア発泡するようにすれば実現できる。更にこの実施の形態では図７、図８に示すように縁枠２４とガラス板２５との間を両面テープ３０によって接着してある。
【００３９】
一方、前記観音開き式扉１０，１０は図４、図５に示すようにその縁枠２４の下端面の左右全長に亘って上向きの凹部を形成して把手部１０ａ，１０ａが形成してある。また観音開き式扉１０，１０直下の引き出し式扉１１，１２の把手部１１ａ，１２ａは、引き出し式扉１１，１２の縁枠２４の下端面に上向きの凹部を形成して構成してある。更にその下方の冷凍室８及び野菜室９の把手部１３ａ，１４ａは、それぞれの引き出し式扉１３，１４の縁枠２４の上端面に下向きの凹部を形成して構成してある。そして、上記各把手部１０ａ，１０ａ，１１ａ，１２ａ，１３ａ，１４ａを形成した縁枠２４はすでに述べた通り着色ガラス板挿入部を有しておらず、この各把手部１０ａ〜１４ａを扉端面に凹設したこととガラス板挿入部を有していないことから、扉群の表面はフラット感のある平坦面となっている。
【００４０】
また、この実施の形態では特に観音開き式扉１０，１０の直下に位置する引き出し式扉１１，１２の上端部は、上方から下方へ向かって手前側にせり出し傾斜する傾斜面１１ｂ，１２ｂとして、前記観音開き式扉の把手部１０ａ，１０ａへの手挿入が容易に行える構成としてある。
【００４１】
ここで、図１、図６、図８に示すように前記扉１０〜１４の一つ、この実施の形態では観音開き式扉１０の一方の扉の側端面のうち軸支持辺側の端面に照度センサ３１が設けてある。そして、この照度センサ３１からの出力に基づき節電運転を行うようになっている。すなわち、図９に示すように照度センサ３１からの出力が所定値未満（使用者が就寝し冷蔵庫の扉を開閉して食品の出し入れをほとんどしなくなる夜中）になると、本体制御部３２が設定温度を通常運転値からやや高めの節電運転値に切り換えて圧縮機１９及び送風ファン１８を制御し、節電運転を行う。
【００４２】
以上のように構成した冷蔵庫は、観音開き式扉１０の側端面に照度センサ３１が設けてあるから、冷蔵庫前方側からは照度センサ３１が目につきにくく、扉前面に設けたもののように意匠性を低下させることがない。
【００４３】
しかも照度センサ３１を組み込んだ観音開き式扉１０の前面にメモやチラシ等を貼り付
けられても、従来のようにこのメモやチラシが照度センサ３１の表面に密接してこれを覆うことがないので、室内の照度を確実に検知することができる。仮にメモやチラシ等が照度センサ３１を組み込んだ観音開き式扉１０の側端面付近に貼り付けられてその側端面前方がふさがれても、照度センサ３１は冷蔵庫本体１の側面方向からの光を検知することができ、室内照度を確実に検知することができる。
【００４４】
また、この実施の形態では照度センサ３１を観音開き式扉１０の側端面のうち特に軸支持辺側の端面に設けてあるから、扉開閉時に生じる衝撃力を照度センサ３１が受けることが少なくなる。よって、照度センサ３１が扉開閉時の衝撃力によって故障することを防止することができる。すなわち、照度センサ３１を軸支持辺側の端面とは反対側の開放端側に設けていると、扉閉成時に受ける衝撃力が大きなものとなり、故障する恐れが生じるが、扉の軸支持辺側の端面に設けておけばその衝撃力は抑制若しくはほとんど加わらなくなり、その分故障の恐れが少なくなって寿命が向上し、信頼性を向上することができる。
【００４５】
なお、この実施の形態では前記したように照度センサ３１の故障機会低減を配慮して扉の軸支持辺側の端面に照度センサ３１を設けたもので説明したが、これは扉の外周いずれか一つの辺の端面であれば上下左右いずれであっても良いものである。
【００４６】
（実施の形態２）
この実施の形態は照度センサを観音開き式扉の把手部構成を利用して設けることにより室内照度の検知性能を向上させたものであり、以下図１０を用いて説明する。なお、その他の構成は照度センサの設置位置を除き先の実施の形態１の図１〜図９と同様であり、説明は省略する。
【００４７】
図１０において、３３は把手部１０ａの一部に組み込んだユニット枠で、センサ基板３４がネジ３５止めしてあり、照度センサ３１を下向きに設置してユニット化してある。このユニット枠３３の下端面は引き出し扉１２の傾斜面１２ｂと対向する位置に窓孔３６を有し、透明樹脂成形品からなる受光体３７が設けてある。
【００４８】
また、前記受光体３７と対向する引き出し式扉１２の傾斜面１２ｂは、図１０の矢印Ｘで示すように扉前方からの光を前記受光体３７を介して照度センサ３１に反射させる角度に設定してある。
【００４９】
なお、この実施の形態では上記センサ基板３４は操作基板を兼ねており、図示しないものの観音開き式扉１０の下端横方向に長い短冊状に形成してタッチスイッチ等の操作部やＬＥＤ等の表示部が組み込んである。
【００５０】
以上のように構成したこの冷蔵庫では、観音開き式扉１０の下端面の把手部１０ａに照度センサ３１が設けてあるから、実施の形態１と同様、冷蔵庫前方側からは目につきにくく、扉前面に設けたもののように意匠性を低下させることがない。
【００５１】
しかも照度センサ３１を組み込んだ観音開き式扉１０の前面にメモやチラシ等を貼り付けられても、照度センサ３１の表面に密接してこれを覆うことがなく、観音開き式扉１０下端と引き出し式扉１２上端との間の隙間を介して光が届くので、室内の照度を確実に検知することができる。
【００５２】
特にこの実施の形態ではチラシやメモの貼り付けによる影響を大幅に低減することができる。すなわち、観音開き式扉１０の下端部にメモやチラシを貼り付けると、このメモやチラシが当該観音開き式扉１０下方の引き出し式扉１２の開閉の邪魔になるところから、使用者がメモやチラシを貼り付ける可能性がほとんどないからである。よって、観音開き
式扉１０の側端面に照度センサを設ける場合に比べより確実に室内照度を検知することができるのである。
【００５３】
加えて、前記照度センサ３１を設けた観音開き式扉１０下方の引き出し式扉１２上端部には傾斜面１２ｂが設けてあって、この傾斜面１２ｂによって室内からの光が照度センサ３１に向けて反射されるので、室内照度の検知は効率よく行われるようになる。なお、この傾斜面１２ｂによる反射効果を向上させるため、前記傾斜面１２ｂにはアルミ蒸着等の反射処理をしておくのが好ましい。
【００５４】
また上記傾斜面１１ｂ、１２ｂを設けたことによって、当該傾斜面１１ｂ、１２ｂを設けた引き出し式扉１１、１２の上端面とその上方の観音開き式扉１０の把手部１０ａとの間の隙間が狭くても容易に把手部１０ａに手を差し入れることができ、操作性も良好なものとすることができる。
【００５５】
更に、扉開開閉時に使用者の手が水で濡れていて観音開き式扉１０の表面や側端面に濡れ手から水等が掛かっても、この扉表面や側端面の水等が扉下端の把手部１０ａの照度センサ設置部分にまで至ることを防止することができ、故障等の心配のない信頼性の高いものとすることができる。
【００５６】
また、前記照度センサ３１は、ユニット枠３３に取り付けてユニット化してあるから、このユニット枠３３を把手部１０ａの一部に組み込むだけで照度センサ３１を容易に取り付けることができ、生産性を向上させることができる。
【００５７】
なお、上記各実施の形態に示す冷蔵庫は、その各扉１０〜１４が複数枚であっても、その各扉１０〜１４の前面を構成するガラス板２５の表面部にはガラス板挿入部や把手部１０ａ〜１４ａによる出っ張りがなく、ガラス板２５のみの平坦な面となるから、扉全面はフラット感のあるスッキリとした良好なものとなる。
【００５８】
また、上記冷蔵庫本体１の観音開き式扉１０，１０直下にある引き出し式扉１２，１３は、その上端部に傾斜面１１ｂ，１２ｂを形成してあるから、すでに述べたように観音開き式扉１０，１０とその直下にある引き出し式扉１１，１２との間の隙間を狭くすることができる。この観音開き式扉１０，１０とその直下にある引き出し式扉１１，１２との間の隙間は、比較的高いところに位置しているため使用者の目につきやすいところであるが、上記隙間が狭いために観音開き式扉１０，１０と引き出し式扉１１，１２との一体感やフラット感を良好に維持できる。
【００５９】
また、前記観音開き式扉１０，１０の左右扉間の隙間も、把手部１０ａ，１０ａを扉下端面に凹設したことによって、左右扉間に把手部を設ける必要がなくなって狭くすることができ、観音開き式扉１０，１０の左右扉の一体感やフラット感も良好に維持することができる。
【００６０】
このように観音開き式扉１０，１０と引き出し式扉１１，１２及び観音開き式扉１０，１０の左右扉間の一体感やフラット感を維持できることによって、その意匠性は一段と良好なものとなる。
【００６１】
更に、この実施の形態の冷蔵庫では、ガラス板２５の内面側に着色層２８を施すことによって着色層２８の手前にガラス板２５の透明層が位置することになるため、着色の色に深みが加わって質感が増すとともに、前記着色層２８は樹脂フィルム２７に形成しているので、ローラ等によって形成することができ、ガラス板に直接着色層をシルク印刷するものでは不良率が高くて実質的には得られなかったようなヘァーラインライン等の精細な模
様も形成できて、更にその意匠性を向上させることができる。
【００６２】
そして、この様なフラット感があって、意匠性の高い冷蔵庫に前記各実施の形態で説明したような形で照度センサ３１を組み込むことによって、当該照度センサ３１を意識させることなく前記したフラット感と高い意匠性を持ち、かつ、照度センサ３１による節電運転が可能な省エネ型の冷蔵庫とすることができる。
【００６３】
一方、この冷蔵庫の扉は、発泡ウレタン２９の発泡密度をガラス板２５の中央部分より外周部分の方が高くなるようにしてあるから、発泡ウレタン２９の接着力はガラス板２５の外周部分のほうがより強いものとなる。これにより、ガラス板２５の樹脂フィルム２７と発泡ウレタン２９との接着力を長期間に亘ってより確実に維持保障することができる。
【００６４】
すなわち、発泡ウレタン２９の外周部はその発泡密度が高い、換言すると、ごく微細に発泡したスキン層となっているため、その接着面積が大きく、その結果、発泡ウレタン２９とガラス板２５の樹脂フィルム２７との接着密度は高く強固なものとなっているのである。よって、ガラス板挿入部を廃止してもガラス板２５を長期間に亘って確実に発泡ウレタン２９に接着保持することができる。
【００６５】
更に上記扉は、ガラス板２５を発泡ウレタン２９で接着保持すると同時に、ガラス板２５の外周部は両面テープ３０によって内フレーム２３の縁枠２４に接着してあるから、ガラス板２５は発泡ウレタン２９との接着に加え両面テープ３０を介して縁枠２４にも接着されることになる。よって、樹脂フィルム２７を貼り付けた着色層付きのガラス板２５は発泡ウレタン２９と縁枠２４の両方に強力に接着保持されることになり、長期間に亘ってガラス板２５の接着強度を維持保障することができる。
【００６６】
加えて、上記両面テープ３０はガラス板２５の外周部を内フレーム２３の縁枠２４に接着しているから、扉に掛かる水が扉端部から扉内方へ侵入し、この水侵入による発泡ウレタン２９とガラス板２５との接着剥がれを確実に防止することができ、ガラス板２５の接着保持を長期間に亘って保障することができる。
【００６７】
すなわち、冷蔵庫は内部と外部で温度差が激しく、扉の開閉時に内部からの冷気によって扉のガラス板２５端部は結露や激しい温度変化の影響を受ける。また、使用者の使い方によっては、開閉時に激しい衝撃を扉に与えたり、収納物の出し入れ時にガラス板２５を含む扉に水や汁を溢す使用実態となる。そして、このような冷蔵庫特有の使用環境・実態によってガラス板２５の端部は当該ガラス板端部を覆うガラス板挿入部が無いと、扉端部に掛かった水等が扉内方へ侵入しやすく発泡ウレタン２９から剥がれやすい環境となっている。
【００６８】
このような環境下において、この実施の形態では、扉端部となるガラス板２５と内フレーム２３の縁枠２４との間を両面テープ３０によって接着しているので、これらガラス板２５と縁枠２４との間から扉内方への水等の侵入を両面テープ３０によって確実に防止することができる。よって、扉端部から水等が扉内方へ侵入してガラス板２５と発泡ウレタン２９との接着剥がれを防止でき、長期間に亘ってガラス板２５と発泡ウレタン２９との接着強度を保ち保障することができる。
【００６９】
更にこの実施の形態では、図７に示しているように前記内フレーム２３の縁枠２４のうち、ガラス板２５の下端面に位置する部分には当該ガラス板２５の前面から前方に飛び出すことなくガラス板下端面に重合するガラス板支持片２４ｄを位置させてあるから、ガラス板２５はその重量を内フレーム２３の縁枠２４のガラス板支持片２４ｄによって支持されることになる。よって、万が一、発泡ウレタン２９によるガラス板２５の接着力の劣化
によってガラス板２５の剥がれが部分的に生じるようなことがあったとしても、ガラス板２５が落下する等の異常事態は確実に防止でき安心感が大きく向上する。また、前記縁枠２４のガラス板支持片２４ｄはガラス板前面より飛び出すことがないので、ガラス板挿入部のように扉前面から見えることもなく、意匠性及び全面フラット感は良好なまま維持できる。
【００７０】
更にこの実施の形態では図８に示しているようにガラス板２５はその外周縁が縁枠２４の端縁２４ｃより若干内側に位置しているから、このガラス板２５はその上端部のみならずその外周縁全体を縁枠２４の端縁２４ｃが保護することになる。よって、例えば生産ラインでの扉搬送時やユーザ宅における扉交換サービス時にガラス板２５の外周縁が何らかの物に当たって割れたりするようなことを防止することもできる。
【００７１】
また、仮にガラス板２５に何らかの外力が加わって万が一割れることがあっても、このガラス板片は樹脂フィルム２７に接着していて飛散を防止されることになり、万が一のときの安全性も向上する。
【００７２】
以上、本発明の主な実施形態を説明したが、上記実施の形態は本発明を実施するうえでの一例として示したものであり、本発明の目的を達成する範囲内で種々変更可能であることは言うまでもない。
【００７３】
例えば、ガラス板を透明樹脂板に置き換えても良く、これによって軽量化による接着強度の更なる保障が可能となり、しかも低コスト化を図ることができる。また、ガラス板に着色層付きの樹脂フィルムを貼り付けて着色層付きのガラス板としたが、これは樹脂フィルムを廃止してガラス板に直接着色層を形成することにより着色層付きガラス板としても良いものである。
【産業上の利用可能性】
【００７４】
以上のように本発明は、外観意匠を損なうことなく扉前面にメモやチラシ等を貼り付けられても室内の照度を確実に検出することができ、節電運転等を的確に行える省エネ性の高い冷蔵庫とすることができ、一般用はもちろん業務用の冷蔵庫やワインクーラーにも幅広く適用できる。
【符号の説明】
【００７５】
１  冷蔵庫本体
２  外箱
３  内箱
４  発泡ウレタン
５  冷蔵室
６  切替室
７  製氷室
８  冷凍室
９  野菜室
１０  扉（観音開き式扉）
１１，１２，１３，１４  扉（引き出し式扉）
１０ａ，１１ａ，１２ａ，１３ａ，１４ａ  把手部
１１ｂ，１２ｂ  傾斜面
１６  冷却室
１７  冷却器
１８  送風ファン
１９  圧縮機
２０  放熱パイプ
２１  キャピラリーチューブ
２３  内フレーム
２４  縁枠
２４ｃ  端縁
２４ｄ  透明前板支持片（ガラス板支持片）
２５  透明前板（ガラス板）
２６  接着剤
２７  樹脂フィルム
２８  着色層
２９  発泡ウレタン
３０  両面テープ
３１  照度センサ
３２  本体制御部
３３  ユニット枠
３４  センサ基板
３５  ネジ
３６  窓孔
３７  受光体
【図９】
0005532101.tif 000002
【図１】
0005532101.tif 000003
【図２】
0005532101.tif 000004
【図３】
0005532101.tif 000005
【図４】
0005532101.tif 000006
【図５】
0005532101.tif 000007
【図６】
0005532101.tif 000008
【図７】
0005532101.tif 000009
【図８】
0005532101.tif 000010
【図１０】
0005532101.tif 000011
【図１１】
0005532101.tif 000012
【図１２】
0005532101.tif 000013
【図１３】
0005532101.tif 000014